(57)【特許請求の範囲】
【請求項１】
ＮＣ旋盤の左右、前後に摺動する摺動型刃物台に、パチンコ玉発射用槌先端部バネ圧入部分切削具及びバネホルダーを左右摺動方向に並べて取り付け、ＮＣ旋盤の主軸であるチャック本体に槌セット台を取り付け、チャック爪で槌を固定し、前記切削具で槌先を切削加工後刃物台を摺動移動してバネホルダーの中心と加工された槌のバネ挿入部を一致し得るようになし、槌先ピンの外径とバネ内径の一致する点まで直線状に挿入し、その後、回転する主軸にチャック爪で固定された槌先ピンとバネホルダーにセットされたバネの相対移動をバネの素線径ピッチの分量づゝ槌先ピンの回転でねじ込むようにし、常に規定の回転量でねじ込み、ねじ込みが終了後主軸を逆回転させて、槌先ピンとバネホルダーの相対移動を逆回転後退にてバネホルダーをバネから抜き取る機能を有する槌先端切削加工機に槌先端部バネ挿入装置を組み込んだ専用加工機。
【発明の詳細な説明】
【０００１】
【発明の属する技術分野】
本発明は、パチンコ玉発射用槌先端加工機に槌先端部にバネ挿入装置を組み込んだ専用加工機に関する。
【０００２】
【従来の技術】
従来は、槌を旋盤で加工後、加工された槌をバネを圧入する作業場所へ移動して圧入していた。
図８は従来の方法の第１例である。ブロック１０にバネ１１を立てる穴１２を形成し、槌１３の先細槌先ピン１４にバネ１１を挿入し、ハンマー等で先細槌先ピン１４の端面をたゝくか、又は圧力をかけて押し込み圧入していた。
図９、図１０は従来の方法の第２例である。槌１３の先細槌先ピン１４に圧入したバネ１１の密着巻部分をペンチ１６で固定し、槌先の端面をハンマー等でたゝき圧力で押し込んでいた。
【０００３】
【発明が解決しようとする課題】
上記従来技術では、圧入後のバネ長の差異、バネのパチンコ玉の当たり面の巻き終わり位置の差異、バネの曲がり倒れ等、圧入及び捩じれ歪み等の差異等が発生し、この様な要因は玉飛びのばらつきに影響する為、槌によって大きな玉飛びのばらつきが発生していた。
槌の加工後別場所で作業するために、移動を行う為時間的ロスがあり、且つ、保管場所や作業場所も必要であった。
槌先端部バネ挿入装置は公知であるが、装置の制御系が複雑で高価であり、再度セットを行う為時間的ロスが大きいという問題点があった。
【０００４】
【課題を解決するための手段】
本発明は上記問題点を解決することを目的とし、ＮＣ旋盤の左右、前後に摺動する摺動型刃物台に、パチンコ玉発射用槌先端部バネ圧入部分切削具及びバネホルダーを左右摺動方向に並べて取り付け、ＮＣ旋盤の主軸であるチャック本体に槌セット台を取り付け、チャック爪で槌を固定し、前記切削具で槌先を切削加工後刃物台を摺動移動してバネホルダーの中心と加工された槌のバネ挿入部を一致し得るようになし、槌先ピンの外径とバネ内径の一致する点まで直線状に挿入し、その後、回転する主軸にチャック爪で固定された槌先ピンとバネホルダーにセットされたバネの相対移動をバネの素線径ピッチの分量づゝ槌先ピンの回転でねじ込むようにし、常に規定の回転量でねじ込み、ねじ込みが終了後主軸を逆回転させて、槌先ピンとバネホルダーの相対移動を逆回転後退にてバネホルダーをバネから抜き取る機能を有することを特徴とする。
【０００５】
【発明の実施の形態】
本発明の実施の形態を図示した実施例に基づいて詳細に説明する。図１乃至図７は本発明の一実施例である。
槌先の切削加工ＮＣ旋盤の刃物台にバネホルダー７を取り付けた実施例である。ＮＣ旋盤は、主軸の回転角度、回転速度、加工刃物の位置関係が設定制御される。主軸にあるチャック本体２に槌セット台３を取り付けチャック爪にて槌４を固定してある。５は摺動型の刃物台で、切削具６及びバネホルダー７を取り付け位置関係をバネホルダー７の中心と槌先ピンの中心が一致する様に制御し、刃物台５の送りと主軸の回転を相対的に制御することによりバネ８を挿入するようにしたものである。
槌セット台３に槌４をセットし、バネホルダー７にある目印９に、バネ巻き終わり位置を合わせる様にバネをセットしスタートさせる。槌４をチャッキングし主軸が回転を始めプログラムされた加工工程で槌先ピンを切削加工し、加工を仕上げる。
【０００６】
次にバネ８の挿入工程の制御に移りバネホルダー７を槌先ピンの中心と一致する位置に移動させ、槌４をセットしたチャック本体（主軸）２は回転しない状態で、バネホルダー７は設定された直進移動位置（バネの内径と槌先ピンの外径がほぼ一致する点）まで前進する。この点から主軸を回転させながらバネの素線径ピッチの分量でバネホルダー７は前進し、設定されたエンド位置までバネ８をねじ込み、設定された回転量主軸を回転させねじ込み工程は終了する。次に主軸を逆回転させながらバネホルダー７を後退させることにより、バネホルダー７からバネ８を抜きバネホルダー７は待機位置に戻り作業を終了する。
槌４のロット間のばらつきによる差異を調整する為に、槌セット台３の槌回転軸孔をガイドとする孔ガイドピン、槌の胴部分のストッパー部材、槌のヘッド、固定チャック爪は加工槌先ピンの中心を一致させる様微調整機能を持っている（図示せず）。
実施例では主軸を回転させ、バネホルダー７を移動させているが、バネホルダー７を回転制御する駆動ユニットに組み込み刃物台に組み込んでも良い。またバネホルダー７をセットするユニットをセンター押しコップまたは専用の取り付け台を設けて取り付けても良い。移動及び回転はバネと槌先ピンの相対関係なのでどのような組み合わせでも良い。
【０００７】
【発明の効果】
本発明は、ＮＣ旋盤の左右、前後に摺動する摺動型刃物台に、パチンコ玉発射用槌先端部バネ圧入部分切削具及びバネホルダーを左右摺動方向に並べて取り付け、ＮＣ旋盤の主軸であるチャック本体に槌セット台を取り付け、チャック爪で槌を固定し、前記切削具で槌先を切削加工後刃物台を摺動移動してバネホルダーの中心と加工された槌のバネ挿入部を一致し得るようになし、槌先ピンの外径とバネ内径の一致する点まで直線状に挿入し、その後、回転する主軸にチャック爪で固定された槌先ピンとバネホルダーにセットされたバネの相対移動をバネの素線径ピッチの分量づゝ槌先ピンの回転でねじ込むようにし、常に規定の回転量でねじ込み、ねじ込みが終了後主軸を逆回転させて、槌先ピンとバネホルダーの相対移動を逆回転後退にてバネホルダーをバネから抜き取る機能を有しているので、部品の移動による時間ロスも無くなり、仕掛品の保管スペース、バネ圧入スペースも要らなくなり、合理的な作業環境で作業が行われるようになった。
また、高価な槌先端部バネ圧入装置でなくてもＮＣ旋盤の制御プログラムで理想の制御ができる為、余分なコストをかけず、圧入後のバネ長、バネのパチンコ玉の当たり面の巻き終わり位置、圧入及び捩じれ歪み等が均一になり、またバネの曲がり倒れ等も無くなり、玉飛びのバラツキの無い槌を安定して供給できる様になった。
【図面の簡単な説明】
【図１】  本発明の一実施例槌セット治具正面図である。
【図２】  図１の平面図である。
【図３】  本発明ＮＣ旋盤の要部外観斜視図である。
【図４】  図３の刃物台外観斜視図である。
【図５】  槌先ピンとホルダー中心を一致させた状態の正面図である。
【図６】  バネホルダー正断面図である。
【図７】  図６の左側面図である。
【図８】  従来方法の第１例一部切断正面図である。
【図９】  従来方法の第２例外観斜視図である。
【図１０】  図９の一部切断正面図である。
【図１１】  槌先加工前正面図である。
【図１２】  槌先加工済正面図である。
【図１３】  加工された槌先正面図である。
【図１４】  バネ正面図である。
【図１５】  加工後バネを圧入した槌正面図である。
【符号の説明】
２    チャック本体
３    槌セット台
４    槌
５    刃物台
６    切削具
７    バネホルダー
８    バネ
９    目印
【図１】
0004679712.tif 000002
【図２】
0004679712.tif 000003
【図３】
0004679712.tif 000004
【図４】
0004679712.tif 000005
【図５】
0004679712.tif 000006
【図６】
0004679712.tif 000007
【図７】
0004679712.tif 000008
【図８】
0004679712.tif 000009
【図９】
0004679712.tif 000010
【図１０】
0004679712.tif 000011
【図１１】
0004679712.tif 000012
【図１２】
0004679712.tif 000013
【図１３】
0004679712.tif 000014
【図１４】
0004679712.tif 000015
【図１５】
0004679712.tif 000016